(57)【要約】【課題】底面部の一辺である角部が曲面状に形成された筐体であっても、転倒せず、かつ容易に持ち出し可能とされた転倒防止装置を提供すること。【解決手段】スタンド２０は略円錐台状の外壁部２１からなる。外壁部２１の対向する位置には、筐体１０の底面部１２から側面部１４Ａまたは側面部１４Ｂの形状に対応して凹状にくりぬかれた載置部２２をそれぞれ備えている。具体的には、載置部２２は、筐体１０の底面部１２と接する載置面２２１と、載置面２２１から鉛直方向に立ち上げられた壁面２２２Ａおよび２２２Ｂとで形成される。載置面２２１は、その略中央部に載置面２２１から突出した突出部２２１１を有している。これにより、突出部２２１１と載置面２２１との間に段差が設けられ、この段差部が係合部２２１２となる。【選択図】図３
2008228826.tif 000002
【特許請求の範囲】
【請求項１】
略箱状に形成されるとともに、箱の少なくとも一辺を形成する角部が曲面状に形成された筐体と、前記筐体の曲面状に形成された前記角部に連続する一面が底面部となる状態に前記筐体を支持するスタンドとを備えた転倒防止装置であって、
前記スタンドは、前記筐体の前記底面部、およびこの底面部に対して交差する側面部を保持する凹状の載置部と、
前記載置部に設けられるとともに、前記筐体の前記底面部の一部に係合可能な係合部と、
を備えた
ことを特徴とした転倒防止装置。
【請求項２】
請求項１に記載の転倒防止装置において、
前記スタンドは、略筒状に形成され、
前記筒の互いに略対向する位置に載置部が形成された
ことを特徴とした転倒防止装置。
【請求項３】
請求項１または請求項２に記載の転倒防止装置において、
前記載置部は、前記筐体の前記底面部の形状と略同一形状に形成された
ことを特徴とした転倒防止装置。
【請求項４】
請求項１から請求項３のいずれかに記載の転倒防止装置において、
前記スタンドは、略円錐台状に形成された
ことを特徴とした転倒防止装置。
【請求項５】
請求項１から請求項４のいずれかに記載の転倒防止装置において、
前記筐体には突出部が設けられ、
前記係合部が、前記突出部に係合する
ことを特徴とした転倒防止装置。
【請求項６】
請求項１から請求項５のいずれかに記載の転倒防止装置において、
前記筐体は、前記スタンドの周面に当接可能な位置決め部材を備えた
ことを特徴とした転倒防止装置。
【請求項７】
請求項１から請求項６のいずれかに記載の転倒防止装置において、
前記リブは一対設けられ、前記スタンドの互いに対向する前記載置部間の距離と略同一寸法だけ離れた位置にそれぞれ設けられた
ことを特徴とした転倒防止装置。
【請求項８】
請求項１から請求項７のいずれかに記載の転倒防止装置において、
前記筐体は、電力の供給により所定の電子処理を実施する電子処理部を内部に収納する
ことを特徴とした転倒防止装置。
【発明の詳細な説明】
【技術分野】
【０００１】
本発明は、転倒防止装置に関する。
【背景技術】
【０００２】
従来、ＤＶＤ（Digital Versatile Disc）を用いた装置、ビデオデッキ、ゲーム機器、デジタル放送チューナ、ネットワーク機器、その他の電子機器においては、設置スペースの省スペース化や美観などを考慮して、縦置きに設置されることが多い。この場合、安定性を維持するために、電子機器を支持するスタンドが用いられている。
このようなスタンドとしては、電子機器を載置する載置部と、電子機器を挟み込んで支持する狭持部とを備えたスタンドが一般的である。例えば、特許文献１には、内部に電子機器を備えた筐体に着脱可能に取り付けられた脚部（スタンド）が記載されている。特に図５には、筐体の底面部の一辺である角部が曲面状に形成された形状をしており、筐体と脚部とをネジで取り付ける図が記載されている。
【０００３】
また、これらの電子機器は、近年の技術の進歩により小型化、軽量化されていることから持ち運びすることも考えられ、設置場所から容易に持ち出せることが要求される。
さらに、機械的な電子機器の形状は消費者のインテリアと調和しないことから、電子機器に丸みを持たせたデザインなどが人気である。
【０００４】
【特許文献１】特開２００５−９３６２９号公報
【発明の開示】
【発明が解決しようとする課題】
【０００５】
しかしながら、特許文献１に記載された電子機器は、筐体と脚部とをネジで固定しているために、筐体のみを容易に持ち出すことができない。仮に、ネジで固定していない構成とした場合、応力の方向により角部の曲面状に形成された部分が簡単に外れ、転倒してしまうという問題がある。
このようなデザインの筐体の転倒を防止するには、筐体を挟み込んでいる狭持部の高さを高くすることが考えられるが、デザイン性が損なわれ好ましくない。
【０００６】
本発明は、このような実情などに鑑みて、底面部の一辺である角部が曲面状に形成された筐体であっても、転倒せず、かつ容易に持ち出し可能とされた転倒防止装置を提供することを１つの目的とする。
【課題を解決するための手段】
【０００７】
請求項１に記載の発明は、略箱状に形成されるとともに、箱の少なくとも一辺を形成する角部が曲面状に形成された筐体と、前記筐体の曲面状に形成された前記角部に連続する一面が底面部となる状態に前記筐体を支持するスタンドとを備えた転倒防止装置であって、前記スタンドは、前記筐体の前記底面部、およびこの底面部に対して交差する側面部を保持する凹状の載置部と、前記載置部に設けられるとともに、前記筐体の前記底面部の一部に係合可能な係合部と、を備えたことを特徴とした転倒防止装置である。
【発明を実施するための最良の形態】
【０００８】
以下、本発明に係る一実施の形態を図面に基づいて説明する。
図１は本発明の転倒防止装置の実施形態を示す斜視図、図２は本実施形態におけるスタンドの斜視図、図３は本実施形態におけるスタンドと筐体の要部断面図、図４は本実施形態における電子機器の底面図である。
図１において、１００は電子機器としての録画再生装置であって、この録画再生装置１００は、図示しないＤＶＤに対して録画処理および再生処理を実施する。そして、この録画再生装置１００は、筐体１０の内部に、図示しないＤＶＤドライブ本体と、録画再生装置１００全体の動作を制御する図示しない制御装置とを備え、さらに録画再生装置１００を縦置き状態に支持するスタンド２０とを備えて構成されている。
なお、電子機器としては、録画再生装置１００に限られず、例えば、ビデオデッキ、ゲーム機器、デジタル放送チューナ、ネットワーク機器など、他の電子機器であってもよい。さらに、録画再生装置として処理される記録媒体として、ＤＶＤに限られず、例えば、ＣＤ（Compact Disk）、ＢＤ（Bluray Disc）などの光ディスク、磁気ディスク、光磁気ディスクなどであってもよい。
【０００９】
［筐体１０の構成］
筐体１０は、ＤＶＤドライブ本体および制御装置を内部に収容する。
図１に示すように、筐体１０は幅寸法、高さ寸法および奥行き寸法を備えた略矩形箱状に形成されている。前面部１１には、電源スイッチ１１１、各種スイッチ１１２およびディスクトレイ１１３がそれぞれ設けられている。ディスクトレイ１１３は、ＤＶＤドライブ本体の一部であって、ＤＶＤが装着され各種スイッチ１１２によりＤＶＤを筐体１０の内部に搬入・搬出する。筐体１０の内部に搬入されたＤＶＤは、制御装置に接続されて収容され、制御装置にて制御されてＤＶＤに対して録画処理および再生処理を実施する。
【００１０】
本実施形態では、このような筐体１０を、図１に示すように縦置き状態に設置する。縦置き状態とは、筐体１０の高さ寸法が最大寸法となるように設置する状態である。
筐体１０は、筐体１０の底面を形成する底面部１２と、底面部１２と隣り合わせで前面部１１と対向した位置に形成される背面部１３と、前面部１１と背面部１３とに挟まれて筐体１０の側面を形成する側面部１４Ａおよび１４Ｂと、筐体１０の上面を形成する上面部１５とで構成される。
また、前面部１１、底面部１２、背面部１３、上面部１５にわたる筐体１０の外周に沿って、それぞれの面の半面が外部に向かって突出して形成された突出部１７を有している。これにより、突出部１７および底面部１２の間に段差が設けられ、この段差部が係合部１８となる。係合部１８は、後述のスタンド２０に設けられた係合部と係合する。
【００１１】
さらに、筐体１０は、図３に示すように、側面部１４Ａおよび突出部１７の接続部に形成される角部１６Ａと、側面部１４Ｂおよび底面部１２の間に側面部１４Ｂおよび底面部１２に連続して形成される曲面部１６Ｂとを有している。
また、底面部１２には、図４に示すように、後述のスタンド２０の外径と略同じ間隔で、かつ底面部１２に略直交する方向に突出する位置決め部材としてのリブ１２１および１２２が形成されている。
【００１２】
［スタンド２０の構成］
スタンド２０の構成を、図２を用いて説明する。
図２に示すように、スタンド２０は略円錐台状の外壁部２１からなる。
外壁部２１の対向する位置には、筐体１０の底面部１２から側面部１４Ａまたは側面部１４Ｂの形状に対応して凹状にくりぬかれた載置部２２をそれぞれ備えている。
【００１３】
具体的には、載置部２２は、筐体１０の底面部１２と接する載置面２２１と、載置面２２１から鉛直方向に立ち上げられた壁面２２２Ａおよび２２２Ｂとで形成される。載置面２２１は、その略中央部に載置面２２１から突出した突出部２２１１を有している。これにより、突出部２２１１と載置面２２１との間に段差が設けられ、この段差部が係合部２２１２となる。前述のように、筐体１０をスタンド２０に載置した際にこの係合部２２１２と筐体１０の係合部１８とが係合する。
【００１４】
さらに、載置部２２は、載置面２２１および壁面２２２Ａの間に形成された角部２２４Ａと、突出部２２１１および壁面２２２Ｂの間に曲面状に形成された曲面部２２４Ｂとを有している。ここで、角部２２４Ａは筐体１０の角部１６Ａと略同じ角度に形成され、曲面部２２４Ｂは筐体１０の曲面部１６Ｂと略同一曲率に形成されている。これらにより、筐体１０をスタンド２０に載置すると、この角部２２４Ａが筐体１０の角部１６Ａに適合し、曲面部２２４Ｂが筐体１０の曲面部１６Ｂに適合する。
【００１５】
［筐体１０のスタンド２０への設置］
筐体１０をスタンド２０へ設置するには、スタンド２０の載置部２２に筐体１０を載せる。このとき、筐体１０の角部１６Ａをスタンド２０の角部２２４Ａに当接させ、筐体１０の曲面部１６Ｂをスタンド２０の曲面部２２４Ｂに当接させ、さらに、筐体１０の係合部１８がスタンド２０の係合部２２１２と当接する状態に載置する。
また、図４に示すように、筐体１０の底面部１２に設けられたリブ１２１および１２２の間にスタンド２０が位置するように設置する。
【００１６】
［作用効果］
上述した録画再生装置１００は、以下に示す作用効果を奏することができる。
筐体１０とスタンド２０の両方に係合部１８と係合部２２１２を設けているので、筐体１０の曲面部１６Ｂがスタンド２０から抜け出ようとするとき、係合部１８と係合部２２１２とが互いに係合するので、転倒を防止することができる。
【００１７】
したがって、転倒防止のためにスタンド２０の高さを高くする必要がないので、スタンド２０が大きくなり過ぎることがない。また、本実施形態のように底面部の一辺が曲面状に形成された筐体１０のデザイン性を損ねることなく、縦置き状態に支持することができる。さらに、スタンド２０を使用しないときのスタンド２０の省スペース化を図ることもできる。
【００１８】
また、筐体１０はスタンド２０に載せるだけで設置することができるので、ネジやフックで止めるなどの余計な作業を必要としない。すなわち、筐体１０が重力により転倒する力で自然に係合する簡便な構成となっている。したがって、筐体１０をスタンド２０に設置するための各種部材が必要ないので、各種部材の紛失の恐れがなく、低コストで提供することができる。さらに、この筐体１０は、いつでも簡単にスタンド２０から持ち出すことができる。
【００１９】
また、筐体１０の角部１６Ａとスタンド２０の角部２２４Ａ、および筐体１０の曲面部１６Ｂとスタンド２０の曲面部２２４Ｂとをそれぞれ略同一の形状としたので、筐体１０をスタンド２０に載置したときに筐体１０が安定し、確実に支持することができる。
さらに、スタンド２０の形状を円錐台状としたので、より安定して筐体１０を支持することができる。
【００２０】
また、筐体１０の底面部１２にリブ１２１および１２２を設けたので、このリブ１２１と１２２の間にスタンド２０が嵌合し、筐体１０が前後方向にずれることがない。したがって、筐体１０の電源スイッチ１１１や各種スイッチ１１２を押したときに、筐体１０が動くことなく、ボタン操作などを確実に行うことができる。
【００２１】
［実施の形態の変形］
なお、本発明は、上述した実施の形態に限定されるものではなく、本発明の目的を達成
できる範囲で以下に示される変形をも含むものである。
例えば、本実施形態では、スタンド２０の突出部２２１１から曲面部２２４Ｂにわたって、筐体１０の曲面部１６Ｂと適合するような形状としたが、図５に示すように、突出部２２１１は、載置面２２１の中央部の一部のみに設けてもよい。また、載置面２２１の形状を、筐体１０の底面部１２および側面部１４Ｂの形状と適合するような形状としなくてもよい。この場合も、筐体１０の係合部１８とスタンド２０の係合部２２１２とが係合して転倒を防止することができる。
【００２２】
また、本実施形態では、筐体１０は一方の曲面部２２４Ｂにのみ曲面を持った形状としていたが、図６に示すように、両方の角部に曲面を持った形状であってもよい。この場合、載置面２２１の略中央部に設けた突出部２２１１と嵌合するように、筐体１０に凹部１２３が形成されることが好ましい。この場合、スタンド２０に設けた突出部２２１１の両側の壁面が係合部２２１２および係合部２２１３となり、筐体１０の凹部１２３の両側の壁面が係合部１２３１および係合部１２３２となる。
したがって、スタンド２０の係合部２２１２と筐体１０の係合部１２３１とが係合し、また、スタンド２０の係合部２２１３と筐体１０の係合部１２３２とが係合して、筐体１０の転倒を防止することができる。
【００２３】
また、本実施形態ではスタンド２０の係合部１８を載置面２２１から突出させて筐体１０と係合させたが、載置面に凹部を形成してもよい。この場合、この凹部と嵌合する凸部を筐体に形成する必要がある。このような構成であれば、筐体をスタンドに設置すると、スタンドの凹部と筐体の凸部とが嵌合する。筐体が転倒しそうな状態になると、凹部と凸部とがお互いに係合して転倒を防止することができる。
【００２４】
さらに、本実施形態では、スタンド２０の対向する載置部２２の高さを同じ高さとしたが、それぞれ異なる高さとしてもよい。
電子機器の設置場所は、机の下や棚などの上部であることも多く、筐体１０は設置場所に応じて前面部１１が前または後ろに傾いた状態に設置できることが望ましい。したがって、図７に示すように、スタンド２０の対向する載置部２２のうち一方の高さを高くする構成としてもよい。
【００２５】
具体的には、スタンド２０は外壁部２１の内周側に内壁部２３を備えている。内壁部２３は、載置部２２の形状と平行かつ載置部２２よりも高さの高い載置部２４を設け、外壁部２１に対して回転自在に取り付けられている。対向する載置部２２の高さを変える場合には、載置部２４が一方の載置部２２の位置にくるように内壁部２３を回転させる。そして、筐体１０のリブ１２１および１２２でスタンド２０を挟むようにして筐体１０をスタンド２０に載せる。載置部２４側に前面部１１を設置すると上向きに設置することができる。また、対向する載置部２２を同じ高さで使用したい場合には、載置部２４が外壁部２１に隠れる位置まで回転させる。
なお、外壁部２１と内壁部２３は、図８に示すように、内壁部２３に外壁部２１を被せるだけで簡単に取り付けることができるものであり、高さを変える必要のないときには、外壁部２１と内壁部２３とを分離して使用することもできる。
【００２６】
さらに、高さを調整できる構成として、図９および図１０に示すような構成としてもよい。
図９では、スタンド２０の外壁部２１に、一対の載置部２２と、さらにもう一対の載置部２５とを設けている。載置部２２は互いに同じ高さ、載置部２５ではそれぞれ異なる高さとすれば、スタンド２０の向きを変えるだけで、筐体を支持する高さおよび傾きを変更することができる。
また、図１０のように、スタンド２０の外壁部２１の上部および下部にそれぞれ一対の載置部２２および２６を設けてもよい。載置部２２は互いに同じ高さ、載置部２６はそれぞれ異なる高さとすれば、スタンド２０を上下逆転させることで、高さや傾きを変更することができる。
【００２７】
また、本実施形態では、筐体１０のリブ１２１と１２２とを、スタンド２０の外側に当接する位置に設けたが、リブ１２１および１２２はスタンド２０に当接可能に設けられていればよく、スタンド２０の内側に当接するように設けられてもよい。また、筐体１０を傾けて使用する場合には、安定して支持することができるという点で、リブ１２１と１２２のうち一方をスタンド２０の外側に当接させ、他方をスタンド２０の内側に当接するように設けることが好ましい。
【００２８】
さらに、スタンド２０の形状は円錐台状に限られず、円筒や矩形状の筒であってもよい。また、載置部が形成されていれば、ブロック状であってもよく、筐体と組み合わせた場合のデザインなどを考慮して適宜選択することができる。
【００２９】
［実施の形態の効果］
上述したように、角部が曲面状に形成された筐体であっても、確実に支持することができ、転倒を防止できる。
また、筐体が重力により転倒する力で自然に係合する構成となっており、筐体をスタンドに設置する際には、筐体をスタンドに載せるだけでよいので、筐体を簡単に持ち出すこともできる。
【図面の簡単な説明】
【００３０】
【図１】本発明の転倒防止装置の実施形態を示す斜視図である。
【図２】前記実施形態におけるスタンドを示す斜視図である。
【図３】前記実施形態におけるスタンドと筐体の要部断面図である。
【図４】前記実施形態における電子機器を示す底面図である。
【図５】本発明の転倒防止装置の変形例を示す要部断面図である。
【図６】本発明の転倒防止装置の変形例を示す要部断面図である。
【図７】本発明の転倒防止装置の変形例を示す斜視図である。
【図８】図７の分解斜視図である。
【図９】本発明の転倒防止装置の変形例を示す斜視図である。
【図１０】本発明の転倒防止装置の変形例を示す斜視図である。
【符号の説明】
【００３１】
１００  録画再生装置
１０  筐体
１１  前面部
１２  底面部
１８  係合部
２０  スタンド
２１  外壁部
２２  載置部
２２１  載置面
２２１２  係合部
【図１】
2008228826.tif 000003
【図２】
2008228826.tif 000004
【図３】
2008228826.tif 000005
【図４】
2008228826.tif 000006
【図５】
2008228826.tif 000007
【図６】
2008228826.tif 000008
【図７】
2008228826.tif 000009
【図８】
2008228826.tif 000010
【図９】
2008228826.tif 000011
【図１０】
2008228826.tif 000012